【手続補正書】
【提出日】平成15年8月7日(2003.8.7)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示する可変表示装置と、
開閉扉を備えた特別変動入賞装置と、
外部の電源手段から電源供給されるとともに、前記可変表示を所定の停止態様で停止させて大当たりを発生させ、該大当たり中に前記開閉扉を開放して閉じるサイクルを１ラウンドとして所定ラウンドまで継続可能とする遊技制御装置と、
を備えた遊技機において、
前記遊技制御装置は、
前記大当たり中の何ラウンド目であるかを判別するための継続回数記憶を遊技状態に関する遊技状態情報として、該遊技状態情報を前記外部の電源手段からの電源供給遮断後において記憶保持可能な遊技状態情報記憶手段と、
前記外部の電源手段からの電源投入を検出する電源投入検出手段と、
前記遊技状態情報が前記遊技状態情報記憶手段に記憶保持されているかどうかを判定する遊技状態情報判定手段と、
を備え、
前記電源投入検出手段によって電源投入が検出された際に、前記遊技状態情報判定手段によって前記遊技状態情報記憶手段に遊技状態情報が記憶保持されていると判定された場合に、発射操作のための操作ハンドルを操作した結果生ずる所定入力信号を検出することに基づいて、当該遊技状態情報に応じた遊技状態から遊技を再開させることを特徴とする遊技機。
【請求項２】
前記操作ハンドルを操作した結果生ずる所定入力信号は、入賞口ＳＷからの入力信号であることを特徴とする請求項１記載の遊技機。
【請求項３】
前記外部の電源手段からの電源供給遮断を検出する停電監視手段を備え、
前記遊技制御装置は、
前記停電監視手段により電源供給遮断が検出された際に前記遊技状態情報記憶手段に記憶されている遊技状態情報のチェックサムを演算し、該チェックサムを前記遊技状態情報記憶手段に記憶させる停電処理手段を備え、
前記遊技状態情報判定手段は、前記電源投入検出手段によって電源投入が検出された際に前記遊技状態情報記憶手段に記憶保持されている遊技状態情報のチェックサムを新たに演算し、この新たに演算したチェックサムと既にバックアップされていたチェックサムとを照合して当該遊技状態情報の正当性を判定し、
照合結果が不一致であった場合に前記遊技状態情報記憶手段の情報をクリアすることを特徴とする請求項１又は２記載の遊技機。
【手続補正２】
【補正対象書類名】明細書
【補正対象項目名】０００１
【補正方法】変更
【補正の内容】
【０００１】
【発明の属する技術分野】
本発明は、複数種類の識別情報を可変表示する可変表示装置と、開閉扉を備えた特別変動入賞装置と、外部の電源手段から電源供給されるとともに、前記可変表示を所定の停止態様で停止させて大当たりを発生させ、該大当たり中に前記開閉扉を開放して閉じるサイクルを１ラウンドとして所定ラウンドまで継続可能とする遊技制御装置と、を備えた遊技機に関する。


【手続補正３】
【補正対象書類名】明細書
【補正対象項目名】０００６
【補正方法】変更
【補正の内容】
【０００６】
【課題を解決するための手段】
上記課題を解決するため、
請求項１記載の発明は、複数種類の識別情報を可変表示する可変表示装置と、
開閉扉を備えた特別変動入賞装置と、
外部の電源手段から電源供給されるとともに、前記可変表示を所定の停止態様で停止させて大当たりを発生させ、該大当たり中に前記開閉扉を開放して閉じるサイクルを１ラウンドとして所定ラウンドまで継続可能とする遊技制御装置と、
を備えた遊技機において、
前記遊技制御装置は、
前記大当たり中の何ラウンド目であるかを判別するための継続回数記憶を遊技状態に関する遊技状態情報として、該遊技状態情報を前記外部の電源手段からの電源供給遮断後において記憶保持可能な遊技状態情報記憶手段と、
前記外部の電源手段からの電源投入を検出する電源投入検出手段と、
前記遊技状態情報が前記遊技状態情報記憶手段に記憶保持されているかどうかを判定する遊技状態情報判定手段と、
を備え、
前記電源投入検出手段によって電源投入が検出された際に、前記遊技状態情報判定手段によって前記遊技状態情報記憶手段に遊技状態情報が記憶保持されていると判定された場合に、発射操作のための操作ハンドルを操作した結果生ずる所定入力信号を検出することに基づいて、当該遊技状態情報に応じた遊技状態から遊技を再開させることを特徴としている。


【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項２記載の発明は、請求項１記載の遊技機において、
前記操作ハンドルを操作した結果生ずる所定入力信号は、入賞口ＳＷからの入力信号であることを特徴としている。


【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項３記載の発明は、請求項１又は２記載の遊技機において、
前記外部の電源手段からの電源供給遮断を検出する停電監視手段を備え、
前記遊技制御装置は、
前記停電監視手段により電源供給遮断が検出された際に前記遊技状態情報記憶手段に記憶されている遊技状態情報のチェックサムを演算し、該チェックサムを前記遊技状態情報記憶手段に記憶させる停電処理手段を備え、
前記遊技状態情報判定手段は、前記電源投入検出手段によって電源投入が検出された際に前記遊技状態情報記憶手段に記憶保持されている遊技状態情報のチェックサムを新たに演算し、この新たに演算したチェックサムと既にバックアップされていたチェックサムとを照合して当該遊技状態情報の正当性を判定し、
照合結果が不一致であった場合に前記遊技状態情報記憶手段の情報をクリアすることを特徴としている。


【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００５７
【補正方法】変更
【補正の内容】
【００５７】
さらに、本発明に係るパチンコ遊技機１００においては、停電検出回路により電源供給遮断が検出された際に、「停電復旧後に遊技が再開される旨の報知」、即ち、遊技再開報知が行われるようになっている。
この遊技再開報知は、遊技制御装置２０のＣＰＵ２１ａから、音制御装置６０に対し、報知音データ（音データの一種）が送信されることで、スピーカの放音部１０８から報知音（メッセージなど）が出力されるものであっても良いし、ＣＰＵ２１ａから表示制御装置４０に対し報知表示データ（表示データの一種）が送信されることで、特図の可変表示部４ａで報知表示（メッセージなど）が表示されるものであってもよいし、あるいは、ＣＰＵ２１ａから装飾制御装置５０に対し装飾データが送信されることで、サイドランプ１２，１２等のランプ類やＬＥＤを点灯・点滅させることで報知を行うものであっても良い。
さらに、この遊技再開報知は、ホール内のスピーカや表示装置など、パチンコ遊技機１００以外の外部機器によりなされることとしてもよいし、上記の各報知を並行して行うものであっても良い。
加えて、この遊技再開報知を行うためにスピーカ、特図の可変表示装置４、サイドランプ１２，１２等に対し電源供給するために、パチンコ遊技機１００には、コンデンサ９３とは別途の報知用バックアップ電源手段（図示省略）が備えられている。


【手続補正２６】
【補正対象書類名】明細書
【補正対象項目名】００８４
【補正方法】変更
【補正の内容】
【００８４】
【発明の効果】
請求項１記載の発明によれば、電源投入検出手段によって外部の電源手段からの電源投入が検出された際に、遊技状態情報が遊技状態情報記憶手段に記憶保持されていた場合に、発射操作のための操作ハンドルを操作した結果生ずる所定入力信号を検出することに基づいて、当該遊技状態情報に応じた遊技状態から遊技を再開させるようにしたので、停電復旧後に発射操作のための操作ハンドルを操作した結果生ずる所定入力信号を検出してはじめて、所定の遊技を開始するようにできる。よって、いつになるかわからない停電復旧のために、遊技者を遊技機の前でずっと待たせる必要がない。また、例えば、停電復旧後に、発射操作のための操作ハンドルを操作した結果生ずる所定入力信号の検出を待たずして遊技が再開されるような場合のように、遊技者が遊技再開に対する準備がないために遊技によって得られるべき利益を喪失するといった可能性を低減できる。ここでいう、遊技によって得られるべき利益は、遊技価値のほかに、遊技自体（興趣を感じる機会）を含むこととする。


【手続補正２７】
【補正対象書類名】明細書
【補正対象項目名】００８５
【補正方法】削除
【補正の内容】
【手続補正２８】
【補正対象書類名】明細書
【補正対象項目名】００８６
【補正方法】変更
【補正の内容】
【００８６】
請求項３記載の発明によれば、停電監視手段により電源供給遮断が検出された際に前記遊技状態情報記憶手段に記憶されている遊技状態情報のチェックサムを演算し、該チェックサムを遊技状態情報記憶手段に記憶させるようにし、かつ、電源投入検出手段によって電源投入が検出された際に前記遊技状態情報記憶手段に記憶保持されている遊技状態情報のチェックサムを新たに演算し、この新たに演算したチェックサムと既にバックアップされていたチェックサムとを照合して当該遊技状態情報の正当性を判定するので、遊技状態情報記憶手段における遊技状態情報の有無と、この遊技状態情報の正当性とを同時に判定でき、確実な停電復旧処理が可能となる。


【手続補正２９】
【補正対象書類名】明細書
【補正対象項目名】００８７
【補正方法】削除
【補正の内容】
【手続補正３０】
【補正対象書類名】明細書
【補正対象項目名】００８８
【補正方法】削除
【補正の内容】
【手続補正３１】
【補正対象書類名】明細書
【補正対象項目名】００８９
【補正方法】削除
【補正の内容】
【手続補正３２】
【補正対象書類名】明細書
【補正対象項目名】００９０
【補正方法】削除
【補正の内容】
【手続補正３３】
【補正対象書類名】明細書
【補正対象項目名】００９１
【補正方法】削除
【補正の内容】